(57)【特許請求の範囲】
【請求項１】
家具における鉛直状姿勢の板部材に固定され得るハウジングを有しており、前記ハウジングは、前記家具の板部材に重なる取り付け面を有しており、前記ハウジングの取り付け面に、前記板部材に設けた上下２つの取付け穴のうち一方の取付け穴に嵌まる位置決め突起と、他方の取付け穴に連通するねじ穴とが形成されている構成であって、
前記ハウジングの取り付け面には、前記板部材における２つの取付け穴に対応した上下２つのねじ穴が空いており、上下いずれか一方のねじ穴に、前記位置決め突起が付け替え可能に嵌まっている、
家具付設品。
【請求項２】
前記ハウジングは、上下方向と前後方向とが逆向きになるように反転可能であり、前記ハウジングの取り付け面に、前記２つのねじ穴が上下対称状に形成されている、
請求項１に記載した家具付設品。
【請求項３】
前記ハウジングの外面は、略平行な２つの広巾面とそれらの間に位置した細長い外周面とで構成されており、２つの広幅面のうち一方が前記取り付け面になっており、
更に、前記ハウジングの外周面の一部が、電気的な接続のためのプラグを抜き差し自在な接続口が形成された平坦状のメイン接続面になっている、
請求項１又は２に記載した家具付設品としての電気的接続器。
【請求項４】
前記プラグは電源用であって、前記取り付け面を左向き又は右向きにして前記メイン接続面を前向きにした姿勢で、前記メイン接続面に複数の電源用接続口が上下に並んで形成されており、かつ、前記ハウジングの後面は、１つ又は複数の電源用接続口が形成されたサブ接続面になっている、
請求項３に記載した電気的接続器。
【請求項５】
少なくとも前記メイン接続面に設けた電源用接続口は、前記取り付け面と反対側にずらして形成されている、
請求項４に記載した電気的接続器。
【発明の詳細な説明】
【技術分野】
【０００１】
本願発明は、例えば学習机用の机上用棚装置に設置されるコンセントのように、家具にオブション品として又は常備品として取付けられる家具付設品に関するものである。
【背景技術】
【０００２】
主に児童が使用する机として、机上面の後部に棚装置を配置したタイプのものがあり、これは学習机として広く知られている。この学習机の棚装置には、灯具等の各種の電気機器に給電するためのコンセントを設けており、コンセントの形態や配置について様々な提案がなされている。
【０００３】
その例として特許文献１には、背板に左右長手の長穴を形成して、長穴に後ろから裏当て材を嵌め入れ、裏当て材に後ろから挿通したビスをコンセントの本体にねじ込む構造が開示されており、この構成では、コンセントの左右位置を調節できる。プラグ接続口（差し込み口）はコンセントの前面と上面に開口しており、上面のプラグ差し込み口には灯具用のプラグが接続されるようになっている。
【０００４】
他方、特許文献２には、棚板の下面にコンセントを配置することが開示されている。この特許文献２では、一般用の接続口はコンセントの前面に開口して、灯具用の接続口はコンセントの後面に開口しており、更に、コンセントの前面には、灯具をＯＮ・ＯＦＦするスイッチが設けられている。
【０００５】
特許文献１，２とも、机上で使用する電気機器のプラグは手前から抜き差しするため、プラグの抜き差しは自然な動作で簡単に行えるが、特許文献１のように背板の前面にコンセントを固定した構成では、コンセントの接続口が視認しにくくなってプラグの抜き差しが面倒になる問題や、机上面にテキスト等の物品を立てた状態で収納するにおいて、物品がコンセントにつかえて深く入り込ませることができないという問題がある。
【０００６】
他方、特許文献２のようにコンセントを棚板の下面に配置した構成では、コンセントは棚板の前端部にも配置できるため、コンセントの接続口の視認性に優れていて、プラグの抜き差しを至極容易に行える利点がある。
【先行技術文献】
【特許文献】
【０００７】
【特許文献１】特許第４７９５７５８号公報
【特許文献２】特開２００２−３１３５０３号公報
【発明の概要】
【発明が解決しようとする課題】
【０００８】
さて、学習机用の棚装置は左右の外側板で棚板を支持した構成になっており、例えば、コンセントを、プラグの接続口を前向きにした状態で、左外側板の内側面に固定したり、右外側板の内側面に固定したり、或いは、外側板の外面に固定したりと、左使いと右使いとを任意に変更できると、ユーザーの要望にきめ細かく応えることができて、棚装置の使い勝手も向上できると云える。他の家具に使用するコンセントの場合も同様である。
【０００９】
このように仕様変更の要請については、左使い用のコンセントと右使い用のコンセントとを別々に用意しておくことが考えられるが、この方法は、２種類のコンセントを製造せねばならないため製造及び管理のコストが嵩むという問題がある。
【００１０】
この問題への対処法として、コンセントの上下左右の中間部にねじ穴を設けて、１本のビスで固定できるようにしておくことで考えられる、この場合は、１種類のコンセントを、左右と上下とに反転させることによって左使いと右使いとに変更することができる。しかし、この場合は、プラグの抜き差しに際してコンセントがビスを中心にして回動してしまうおそれがある。
【００１１】
他方、ねじ穴を上下対称の２個所に形成しておけば、コンセントは、左右の向きと上下の向きとが逆になるように反転させることによって左使いと右使いとに対応できるとともに、プラグの抜き差しに際しての回転も阻止して姿勢安定性を確保できる。しかし、これでは２本のビスが必要になるため、着脱に手間がかかるという問題がある。
【００１２】
本願発明はこのような現状を契機として成されたものであり、コンセントのように家具に固定される付設品を、改良された態様で提供せんとするものである。
【課題を解決するための手段】
【００１３】
本願発明は、電気的接続器のような家具付設品に係るもので、家具付設品は、
「家具における鉛直状姿勢の板部材に固定され得るハウジングを有しており、前記ハウジングは、前記家具の板部材に重なる取り付け面を有しており、前記ハウジングの取り付け面に、前記板部材に設けた上下２つの取付け穴のうち一方の取付け穴に嵌まる位置決め突起と、他方の取付け穴に連通するねじ穴とが形成されている」
という基本構成になっている。
【００１４】
そして、請求項１の発明では、上記基本構成において、
「前記ハウジングの取り付け面には、前記板部材における２つの取付け穴に対応した上下２つのねじ穴が空いており、上下いずれか一方のねじ穴に、前記位置決め突起が付け替え可能に嵌まっている」
という構成になっている。
【００１５】
請求項２の発明では、請求項１において、前記ハウジングは、上下方向と前後方向とが逆向きになるように反転可能であり、前記ハウジングの取り付け面に、前記２つのねじ穴が上下対称状に形成されている。
【００１６】
請求項３の発明は電気的接続器に適用したものであり、請求項１又は２において、
「前記ハウジングの外面は、略平行な２つの広巾面とそれらの間に位置した細長い外周面とで構成されており、２つの広幅面のうち一方が前記取り付け面になっており、更に、前記ハウジングの外周面の一部が、電気的な接続のためのプラグを抜き差し自在な接続口が形成された平坦状のメイン接続面になっている」
という構成になっている。
【００１７】
請求項４の発明は、請求項３において、
「前記プラグは電源用であって、前記取り付け面を左向き又は右向きにして前記メイン接続面を前向きにした姿勢で、前記メイン接続面に複数の電源用接続口が上下に並んで形成されており、かつ、前記ハウジングの後面は、１つ又は複数の電源用接続口が形成されたサブ接続面になっている」
という構成になっている。
【００１８】
請求項５の発明は、請求項４において、
「少なくとも前記メイン接続面に設けた電源用接続口は、前記取り付け面と反対側にずらして形成されている」
という構成になっている。
【発明の効果】
【００１９】
本願発明の家具付設品は、位置決め突起とビスとで板部材に連結されるため、１本のビスによる固定であっても、ビスの軸心回りに回動しない状態に安定した姿勢に保持される。従って、安定的に固定できる家具付設品でありながら、固定作業の手間を軽減できる。
【００２０】
特に、請求項３のように、コンセント等の電気的接続器に適用すると、プラグの抜き差しでハンジングが回動することはないため、取り付け・取り外しの容易性を確保しつつ、プラグの抜き差しを的確に行うことができて好適である。他の家具付設品に適用した場合でも、例えば人が誤って手で押したり引いたりして外力が作用しても、家具付設品は回動不能の安定した姿勢に保持される。
【００２１】
また、ビスを板部材にねじ込む構成を採用すると、複数の板部材に付け替えできるようにした場合、各板部材にねじ穴を設けねばならないため、板部材の加工に手間がかかるおそれがあるが、本願発明では、板部材には単なる貫通穴を空ければ足りるため、加工の手間を抑制することができる。
【００２２】
また、本願発明では、位置決め突起は上下のねじ穴に付け替え自在であるため、ビスの回転操作の容易性を考慮して、位置決め突起の位置を選択することができる。また、本願発明では、位置決め突起は上下いずれのねじ穴にも付け替え可能であり、例えば、左使いと右使いとのいずれの場合もビスを上又は下の同じ高さに揃えることができるため、板部材における上下の穴を位置決め突起用とビス挿通用とに分けて内径を変えることや、一方の穴のみにビスの頭が隠れる座繰り穴を設けるといったことにも簡単に対応できる。
【００２３】
さて、１種類のコンセントを例えば左使いと右使いとに共用できると、コストダウン等の利点がある。そのための手段として、例えば、ハウジングにビス挿通穴を形成しておいて、位置決め突起を左右に付け替えできるようにしておくことが考えられる。しかし、この場合は、ビス挿通穴や位置決め突起や取り付け穴がハウジングの２つの広幅面に露出するため、使用場所によっては、美観の問題が指摘される可能性もある。
【００２４】
これに対して、請求項３の構成では、ねじ穴と位置決め突起は１つの取り付け面にしか露出していないため、美観の悪化は生じない。また、請求項３の構成を採用すると、ハウジングを反転させることにより、メイン接続面を使用者に向けた状態（或いは使用者がプラグを容易に挿脱できる状態）を保持しつつ、左使いや左使いに付け替えることができ、しかも、ねじ穴は外側に露出しないため、美観にも優れている。
【００２５】
請求項３のように電気的接続器に適用した場合、ハウジングのメイン接続面のみに接続口を設けてもよいが、請求項４のように、メイン接続面と反対側にサブ接続面を形成すると、ハウジングを大型化することなく接続口の数を増やすことができる利点や、機器の種類に応じてメイン接続面とサブ接続面とを使い分けできる利点がある（例えば、接続しっ放しにされる電源プラグはサブ接続面を使用することで、誤って抜いてしまうような不具合を防止できる。）。
【００２６】
請求項５の構成を採用すると、ハウジングの巾（厚さ）を大きくすることなく、プラグと板部材との間隔を大きくして、プラグを挿脱するに際して板部材に手が触れることを防止又は抑制できる。すなわち、ハウジングを大型化することなく、プラグのを抜き差しを容易ならしめることができる。
【００２７】
また、電源用のプラグの大きさはまちまちであり、例えば変圧機能付きの大きいものもあるが、請求項５では接続口と板部材との間隔を広げることができるため、大型のプラグにも対応できる。更に、アース部付きプラグや丸ピン式プラグのような異形プラグのためのアダプタも大型になっているが、請求項５を採用すると、このようなアダプタについても容易に適用できる利点がある。
【図面の簡単な説明】
【００２８】
【図１】実施形態に係る学習机の部分分離斜視図である。
【図２】棚装置の正面図である。
【図３】図２のIII-III 視断面図である。
【図４】（Ａ）は要部の分離斜視図、（Ｂ）は要部の正面図である。
【図５】（Ａ）は要部斜視図、（Ｂ）はコネクタを後ろから見た斜視図である。
【図６】（Ａ）は図３のVIA-VIA 視断面図、（Ｂ）は位置決めピンの側面図、（Ｃ）は位置決めピンの正面図である。
【図７】コネクタを示す図で、（Ａ）はベース板の側面図、（Ｂ）は（Ａ）のＢ−Ｂ視図、（Ｃ）は（Ａ）のＣ−Ｃ視図、（Ｄ）はカバーの側面図、（Ｅ）は（Ｄ）のＥ−Ｅ視図、（Ｆ）は（Ｄ）のＦ−Ｆ視図である。
【図８】他の適用例を示す図である。
【図９】他の実施形態を示す図である。
【発明を実施するための形態】
【００２９】
(1).概要
次に、本願発明の実施形態を図面に基づいて説明する。第１実施形態は、家具に付設される機器・器具類の一例である電気的接続器のうちのコンセントに適用しているが、まず、第１実施形態が適用されている机と棚装置との概要を図１〜３に基づいて説明する。以下の実施形態では方向を特定するために左右や前後の文言を使用しているが、これらの文言は、机を普通の姿勢で使用する人の向きを基準にしている。前後方向は奥行き方向と同じで、左右方向は間口方向と同じである。
【００３０】
第１実施形態は、学習机１の木製棚装置に適用している。学習机１は、平面視四角形（左右横長の長方形）の天板２と、これを支持する左右の脚３とを有しており、天板２の右側部の下方には、上下複数段の引出しを有する袖キャビネット部（図示せず）を設けている。なお、学習机とは別体の袖キャビネットを設けてもよく、この場合は、袖キャビネットは、天板２の下方の空間の左右いずれの部位にも配置できる。
【００３１】
天板２の後部には、家具の一例としての棚装置４が配置されている。棚装置４は、その左右側端を構成する左右の外側板５，６と、左右外側板５，６の間に水平姿勢に配置された棚板７と、左右外側板５，６の後端部の間に配置された背板７とを有している。外側板５，６は縦長長方形で机上面に直立しており、図示しないクランプ金具によって天板２に固定されている。棚板７は、右側寄りの部位において鉛直姿勢の中仕切板９で左右に分断されている。
【００３２】
そして、中仕切板９と右側の外側板５との間でかつ棚板７の下方に、上下２段の引出し１０を配置している。引出し１０は、中仕切板９及び右外側板６に設けたレール部に前後動自在に支持されている。図３に示すように、棚板７の前端部は木製の化粧縁材７ａで構成されている。背板８は、その下端面を天板２に当接させた状態で直立しており、左右外側板５，６の内側面にダボ等で固定されている。図２のとおり、背板８の左右下コーナー部には、ケーブル類を挿通するための配線用切り欠き１１が形成されている。
【００３３】
例えば図１に示すように、左右の外側板５，６は、その上部後端が丸棒状の補強バー１２で連結されている。補強バー１２は、中仕切板９の上部後端に貫通している。中仕切板９は背板８と前後に噛み合っており、両者はダボ等で固定されている。棚板７のうち左外側板５と中仕切板９との間の部分には、複数枚の可動仕切板１３が左右移動自在に配置されている。
【００３４】
天板２のうち左外側板５に近い側の下面には、相対抗した左右一対の支持板１５を固定し、左右の支持板１５によって２段のプレート１６を前後動自在に支持している。プレート１６は、支持板１５に形成した溝に嵌まっている。プレート１６には、児童が学校から持ち帰ったプリント類や本人のファイル、ノートなど、薄い物品を載せて収納できる。
【００３５】
左外側板５には灯具１８を取り付けている。灯具１８は、支柱１９とその上端に上下回動可能に取り付けられた前向きのアーム２０、アーム２０の前端に水平旋回可能に取り付けた下向き開口のシェード２１を有しており、シェード２１の内部に、直管状のＬＥＤランプ又は蛍光灯ランプを配置している。支柱１９の下端は、下向きの足部２２ａを有するベース体２２に前後回動可能に取り付けられており、ベース体２２の足部２２ａは、左外側板５の外面に固定された受け金具２３の筒部２３ａに水平旋回自在に嵌め込まれている。
【００３６】
(2).コンセントの構造
図２，３のとおり、左外側板５の内側面のうち手前側でかつ下端寄り部位に、電気的接続器の一例としての電源分配用のコンセント２４を取り付けている。従って、左外側板５は板部材の一例である。次に、図４以下の図面も参照してコンセント２４を説明する。
【００３７】
コンセント２４は、側面視において僅かに上下に長い長方形であり、全体的に板状の外観を成している。すなわち、前面と後面は上下に細長い長方形で、上面と下面とは前後に細長い長方形であり、上下高さ及び前後巾に対して左右厚さは遥かに小さい。そして、図４や図５のとおり、前面をメイン接続面２５と成して、その上下中間高さ位置には灯具用スイッチ２６を設け、灯具用スイッチ２６を挟んだ上下２か所には、上下２つの電極穴２７ａ，２７ｂから成る一般用接続口２７を形成している。
【００３８】
机上で使用する電気・電子機器として、例えば、ゲーム機、携帯電話やスマホの充電器、ノートパソコン、電子学習機のような携帯式機器があるが、これらは机１に常備しているわけではない機器であり、そこで、これらを便宜的に一般機器と呼んで、一般機器に給電するためのプラグを一般用プラグと称して符号２８で示しており、一般用プラグ２８の接続に供される接続口として一般用接続口２７の用語を使用している。
【００３９】
実施形態の灯具用スイッチ２６は円形のプッシュ式であり、コンセント２４のメイン接続面２５から突出はしていないが、メイン接続面２５から突出させてもよい。また、灯具用スイッチ２６としては、人が指先を触れるとＯＮ・ＯＦＦするタッチ式なども採用可能であり、タッチ式の場合は、横長の形態や縦長の形態など、各種の形態を採用できる。
【００４０】
一般用接続口２７は、上下に並列配置された２つの電極穴２７ａ，２７ｂで構成されているが、実施形態では、上下の電極穴２７ａ，２７ｂは左右長さが相違している。これは、一般用プラグ２８等のプラグにおいて、２枚の電極板のうち片方の電極板の先端部を広巾に設定したロック機能付きのものがあることに対応したものであり、プラグ２８を前後長手の軸心回りに少しねじることにより、ロックしたりロック解除したりすることができる。
【００４１】
図４や図５に明示するように、灯具用スイッチ２６は、コンセント２４の左右巾方向の中間部に配置している。換言すると、灯具用スイッチ２６の中心は、メイン接続面２５の縦長中心線２９（図４（Ｂ）参照）の線上に位置している。他方、一般用接続口２７は、縦長中心線２９を挟んで左外側板５と反対側（棚装置４の内部側）に若干の寸法Ｅだけずれている。なお、灯具用スイッチ２６も棚装置４の内部側にずらして、一般用接続口２７と灯具用スイッチ２６を一直線状に配置することは可能であるし、逆に、一般用接続口２７を縦長中心線２９の線上に配置することも可能である。
【００４２】
図５（Ｂ）に示すように、コンセント２４の後面はサブ接続面３０と成されており、サブ接続面３０のうち上下中間高さ位置にはブレーカーリセットボタン３１を設けて、リセットボタン３１を挟んだ上下両側に、電源用接続口として、灯具用接続口３２と、その他据え置き式機器用接続口３３とが分かれて形成されている。灯具用接続口３２を構成する２つの電極穴３２ａ，３２ｂも左右長さが相違しており、また、その他据え置き式機器用接続口３３を構成する上下２つの電極穴３３ａ，３３ｂも、左右長さが相違している。
【００４３】
灯具１８は棚装置４に常備されている据え置き式機器であるので、灯具用接続口３２も据え置き式機器用接続口の一種であるが、本実施形態では、コンセント２４に灯具用スイッチ２６を有していて専用の灯具用接続口３２が必要になるため、灯具１８以外の機器への給電に使用する接続口を、その他据え置き式機器用接続口３３と表示している。
【００４４】
灯具用接続口３２は、灯具用スイッチ２６とセットになっている。そこで、灯具用プラグ３４（図３参照）の接続間違いを無くすべく、図５（Ｂ）及び図７（Ｅ）に簡略して示すように、灯具用接続口３２の個所を僅かに段落ちさせた凹部３２ｃに形成している。凹部３２ｃに代えて、リブで囲ったり溝で囲ったりしてもよい。
【００４５】
その他据え置き式機器用接続口３３には、灯具１８以外の据え置き式機器用プラグ３５を接続できる。灯具１８以外の他据え置き式機器としては、電動鉛筆削りやデスクトップ型パソコン、補助灯具などが挙げられる。その他据え置き式機器用プラグ３５を一般用接続口２７に接続することは可能であるが、その他据え置き式機器用プラグ３５をサブ接続面３０のその他据え置き式機器用接続口３３に接続することにより、プラグの抜き差しが容易な一般用接続口２７を２台の機器の給電に使用できて便利である。
【００４６】
図６に示すように、コンセント２４は、基本的には平板状の基板３７と、これに被さった状態に嵌合したカバー３８とを有しており、両者でコンセント２４のハウジングが構成されている。基板３７及びカバー３８とも合成樹脂製である。基板３７の外面が、外側板５，６に重なる取り付け面３７ａになっている。なお、基板３７をカバー３８の外周縁から少し段落ちさせて、外側板５，６にはカバー３８の端面を当接させることも可能であるが、本願発明でいう取り付け面は、外側板５，６のような板部材と対向した面ということであり、従って、本実施形態では、基板３７の外面を取り付け面３７ａと呼んでいる。
【００４７】
図７に示すように、基板３７とカバー３８との両方に、手前側の上下中間部に位置した灯具用スイッチ配置部３９ａ，３９ｂと、手前側でかつ灯具用スイッチ配置部３９ａ，３９ｂの上下に位置した２つの一般用電極配置部４０ａ，４０ｂと、後ろ側の上下中間部に位置したブレーカー配置部４１ａ，４１ｂと、後ろ側でかつブレーカー配置部４１ａ，４１ｂの下方に位置した灯具用電極配置部４２ａ，４２ｂと、後ろ側でかつブレーカー配置部４１ａ，４１ｂの上方に位置したその他据え置き機器用電極配置部４３ａ，４３ｂとを形成している。
【００４８】
電極板（図示せず）や灯具用スイッチ４４、ブレーカー４５は、基板３７とカバー３８とで挟み保持されている。図７（Ａ）に示すように、基板３７の各電極配置部４０ａ〜４３ａにはビス挿通穴５１が貫通している一方、図７（Ａ）に示すように、カバー３８の各電極配置部４０ｂ〜４３ｂにはねじ穴５２が形成されており、基板３７に挿通したビス（図示せず）をカバー３８のねじ穴５２にねじ込むことにより、基板３７とカバー３８とは一体に保持されている。
【００４９】
図７（Ｅ）や図４（Ａ）に示すように、カバー３８のうちサブ接続面３０を構成する後ろ壁には基板３７に向いた切り欠き溝５３が形成されており、この切り欠き溝５３を介して電源ケーブル５４をコンセント２４の内部に引き込んでいる。一方、図７（Ａ）に示すように、基板３７には、切り欠き溝５３の開口縁を塞ぐ突起５５が形成されており、突起５５の存在により、切り欠き溝５３は後ろ向きに開口した穴の状態になっている。
【００５０】
図７（Ｄ）から理解できるように、電源ケーブル５４はブレーカー４５に接続されており、ブレーカー４５から分岐した枝電源線５６が、各一般用電極、その他据え置き機器用電極、灯具用電極にそれぞれ接続されている。ブレーカー４５と灯具用電極との間に灯具用スイッチ２６が介在しているが、ブレーカー４５と灯具用スイッチ２６との間に灯具用電極を介在させてもよい。カバー３８には、枝電源線５６を整理して配線するための通路形成リブ５７が形成されている。
【００５１】
図６（Ａ）及び図７（Ｄ）に示すように、基板３７の左右中間部でかつ上下２か所の部位に、取り付け面３７ａの側に（外側に）開口したねじ穴５８を形成している。ねじ穴５８は、上下対称の位置に形成されている。実施形態では、ねじ穴５８は、基板３７に設けたホルダー部５９に六角ナット（角形ナット）６０を配置することによって形成されており、ナット６０は、カバー３８に設けた筒状のボス部６１によって離脱不能に保持されている。なお、ナット６０を使用せずに、基板３７に形成したボス部（或いは単なる穴）に雌ねじを直接形成することも可能である。
【００５２】
外側板５，６の手前側の部位には、コンセント２４における上下ねじ穴５８の上下間隔と同じ間隔で、上下２つの取り付け穴６２が空いている。そして、コンセント２４における上のねじ穴５８に、位置決め突起の一例として、頭付きボルトを代用した位置決めピン６３をねじ込んで、この位置決めピン６３を上の取り付け穴６２に嵌めることにより、１本のビス６４による締結でありながら、コンセント２４を水平状の軸心回りに回転不能に保持できる。
【００５３】
つまり、１本のビス６４のみの締結で位置決めピン６３がない場合は、プラグ２８，３３，３５の抜き差しに際して、コンセント２４がビス６４の軸心回りに旋回してしまうおそれがあり、さりとて、２本のビスで固定すると、着脱に手間がかかるが、本実施形態のように位置決めピン６３を使用することにより、１本のビス６４の締結でありながら、コンセント２４を回転不能に保持できるのである。位置決めピン６３はねじ穴５８にねじ込まれているため、保管や流通段の段階で離脱することはない。
【００５４】
図２に一点鎖線で示すように、コンセント２４は、右外側板６の内側面に付け替えることができる。すなわち、左外側板５の内側面に固定した左使いから、右外側板６の内側面に固定した右使いに変更できる。この場合は、上下面と左右面とがそれぞれ逆になるように１８０°反転させることにより、一般用接続口２７を手前に向けつつ、ねじ穴５８及び位置決めピン６３を右外側板５に向けた姿勢にして、ビス６４で締結できる。従って、灯具用接続口３２と据え置き式機器用接続口３３とは、左使いと右使いとで上下が逆になる。
【００５５】
また、左外側板５に取り付けた状態から１８０°反転させると、位置決めピン６３が下に位置するが、位置決めピン６３を上に付け替えることにより、下の取り付け穴６２にビス６４を挿通することができる（位置決めピン６３を下にして、上のねじ穴５８にビス６４をねじ込むことは可能である。）。
【００５６】
既述のとおり、位置決めピン６３は頭付きボルトで代替しており、図６（Ｂ）（Ｃ）に示すように、頭６３ａの頂面にマイナス型の係合溝（スリワリ）６５を形成することにより、マイナスドライバーやコインで回転操作できるようになっている。また、頭６３ａの外周に溝６６を形成して、頭６３ａの外周を凹凸形状とすることにより、指で摘んで回転させることも容易に行えるように配慮されている。すなわち、指の引っ掛かりを良くしている。指の引っ掛かりを良くする手段としては、ローレット加工を施してもよい。
【００５７】
(3).まとめ
以上の構成において、コンセント２４は位置決めピン６３とビス６４との上下２か所で外側板５に連結されるため、１本のビス６４での固定（締結）でありながら、プラグ２８，３４，３５の抜き差しに際して回転しないように安定した状態に保持される。
【００５８】
また、ねじ穴５８は取り付け面２７ａのみに開口しており、取り付け面２７ａは反対側の露出した広巾面にはねじ穴５８は開口していないため、美観に優れている。そして、左右方向と上下方向とにそれぞれ反転させることにより、図２に一点鎖線で示すように、右外側板６の内側面に固定して右使いとしたり、左外側板５の外側面に固定した右使いとしたりすることができる。従って、美観を確保しつつ、左使いと右使いとを任意に選択できる。
【００５９】
この場合、左使いと右使いとでコンセント２４は上下逆向きになるが、左使いと右使いとで位置決めピン６３を付け替えることにより、ビス６４を常に下側に位置させることができる。もとより、位置決めピン６３は付け替えずに、左使いと右使いとでビス６４の高さ位置を異ならせることも可能である。
【００６０】
更に、コンセント２４は、図２に一点鎖線で示すように、棚板７の下面に固定することも可能である（この場合は、棚板７に取り付け穴を形成して、ビスは上から挿通することになる。）。
【００６１】
実施形態では、接続口２７，３２，３３が棚装置４の内側にずれている（偏心している）ため、プラグ２８，３３，３５の抜き差しに際して外側板５，６に指が当たることを防止又は大幅に抑制できる。このため、プラグ２８，３３，３５の抜き差しの操作性が良くなると共に、図４（Ｂ）に示すように、変圧機能付きプラグのような大きな異形プラグ２８′も取り付けることができる。異種電極接続のためのアダプタの接続も容易である。
【００６２】
更に、本実施形態では、灯具用スイッチ２６を挟んだ上下に一般用プラグ２８が配置されているため、上に位置した一般用プラグ２８の下方の余裕も、下に位置した一般用プラグ２８の上方の余裕も大きくなる。これに加えて、灯具用スイッチ２６はコンセント２４の前面から突出しておらず、大型の異形プラグ２８′や異種プラグ用アダプタであっても、灯具用スイッチ２６と干渉しない状態で上下に配置することが可能である。従って、大きさが異なる各種のプラグ類２８，２８′を、余裕を持って接続することができる。
【００６３】
更に本実施形態では、コンセント２４の後面をサブ接続面３０と成して、サブ接続面３０に灯具用接続口３２とその他据え置き式機器用接続口３３とが形成されているため、灯具用プラグ３４やその他据え置き式機器用プラグ３５を人の手や物が触れにくい状態に保持できる。このため、灯具用プラグ３４やその他据え置き式機器用プラグ３５を誤って抜いたり、これらに物が当たって変形させたりするような不具合を防止できる。
【００６４】
実施形態では、電源ケーブル５４を引き込むための切り欠き溝５３を取り付け面３７ａの側に寄せて形成しており、このため、電源ケーブル５４の引込み部は外側板５（６）に近寄っている。すると、灯具用プラグ３３やその他据え置き式機器用プラグ３５の抜き差しに際して、電源ケーブル５４が邪魔になることを防止できる。また、ブレーカーリセットボタン３１のブッシュ操作の邪魔にもなりにくい。実施形態のように、ブレーカーリセットボタン３１と切り欠き溝５３とを上下にずらすと、ブレーカーリセットボタン３１の操作性は一層高くなる。
【００６５】
(4).他の実施形態
上記の説明は机１の棚装置４に適用した場合であったが、図８では、机１に取り付けた場合を示している。すなわち、机１については、コンセント２４は、脚３の内側面に取り付けたり又は外側面に固定したり、或いは天板２の下面に固定したりすることができる。図示は省略しているが、後ろ幕板の前面は又は後面に固定することも可能である。
【００６６】
図８では、コンセント２４を、そのメイン接続面２５を前向きにして脚３の側面に固定した場合において、コンセント２４の上下両面に、電源プラグ６８を接続できる電源用接続口が形成されている。コンセント２４を天板２の下面に固定した場合は、電源用接続口は左右横向きになる。
【００６７】
図９に示す実施形態では、接続器２４′を電源用とＬＡＮケーブル接続用とに併用している。すなわち、まず、ハウジング２４″の前面をメイン接続面２５として、これに、一般用電源プラグ２８を抜き差し自在な接続口（図示ず）を形成している一方、ハウジング２４″の後面をサブ接続面３０として、これに、複数の出力用ＬＡＮケーブルプラグ７０を抜き差し自在なＬＡＮケーブル出力接続口（図示せず）が一列に並んで形成されている。
【００６８】
更に、ハウジング２４″の下面に、電源プラグ６８を抜き差し自在な電源用接続口と、入力用ＬＡＮケーブルプラグ６９を抜き差し自在なＬＡＮケーブル入力接続口（いずれも図示せず）を形成している。取り付け穴６２はハウジング２４″の片方の広幅面のみに開口している。
【００６９】
(5).その他
本願発明は、上記の実施形態の他にも様々に具体化できる。例えば、家具に取付けられる機器はコンセント等の電気的接続器には限らないのであり、鉛筆削り等の電気製品、灯具を受ける支持具、スマートフォンやタブレット端末等の形態端末を入れるトレイ、Ａ４ファイル等のファイル類を収納するボックスケースなどの収納具、或いはペン立てなどの様々な家具付設品に適用できる。また、電気的接続器に適用した場合、メイン接続面やサブ接続面に設ける接続口の数は任意に設定できる。
【００７０】
更に、ビスがねじ込まれるねじ穴を挟んだ対称位置に位置決め突起を設けることも可能である。つまり、位置決め突起は１つである必要はなく、複数あってもよい。ハウジングの上下中間位置にねじ穴を設けて、ねじ穴の上又は下の片方のみに１つの位置決め突起を設ける一方、板部材には、上中下の３段の取り付け穴を設けて、中段の取り付け穴にビスを挿通して、上段又は下段の取り付け穴に位置決め突起が嵌まるように設定することも可能である（この場合は、左使いと右使いとで位置決め突起が嵌まる高さが異なる。）。
【００７１】
（削除）
位置決め突起は必ずしもねじ込み式である必要はなく、単なる嵌め込み式にしたり、ボールキャッチ等の係止手段を設けたりすることも可能である。摩擦によって嵌め込み状態を保持してもよい。上下に反転しない物品の場合、例えば左右両面に上下一対ずつのねじ穴を設けておいて、１つの位置決め突起を左右の１つのねじ穴に付け替えることによって、右使いと左使いとに対応することも可能である。
【００７２】
（削除）
或いは、位置決め突起がねじ式でない場合は、家具付設品の左右両面に、位置決め突起用の穴とねじ穴とを上下に一対ずつ設けておいて、位置決め突起とビスとを単に左右に付け替えることによっても、右使いとは左使いとに対応できる。この場合、付設品の片方の面の穴が露出するが、これプラグで塞いだり面全体をカバーで覆ったりしてもよい。
【産業上の利用可能性】
【００７３】
本願発明は、コンセントその他の電気的接続器等に具体化できる。従って、産業上利用できる。
【符号の説明】
【００７４】
１  学習机
２  学習机の天板
４  棚装置
５，６  外側板
７  棚板
２４  家具付設品の一例としてのコンセント
２５  コンセントのメイン接続面（前面）
２７  一般用接続口（電源用接続口）
２８  一般用プラグ（電源用プラグ）
３０  コンセントのサブ接続面（後面）
３１  ブレーカーリセットボタン
３２  灯具用接続口（電源用接続口）
３３  その他据え置き式機器用接続口（電源用接続口）
３４  灯具用プラグ（電源用プラグ）
３５  その他据え置き式機器用プラグ（電源用プラグ）
３７  ハウジングを構成する基板
３９  ハウジングを構成するカバー
５４  電源ケーブル
５８  ねじ穴
６２  取り付け穴
６３  位置決め突起の一例としての位置決めピン
６４  ビス
【図１】
0006652788.tif 000002
【図２】
0006652788.tif 000003
【図３】
0006652788.tif 000004
【図４】
0006652788.tif 000005
【図５】
0006652788.tif 000006
【図６】
0006652788.tif 000007
【図７】
0006652788.tif 000008
【図８】
0006652788.tif 000009
【図９】
0006652788.tif 000010